(57)【要約】通信およびシステムが通信に関して開示される。このシステムおよび技術は、基地局および複数のユーザの間の通信をサポートし、あるユーザと基地局との間のオーバヘッドチャネルを確立することにより確立され、該あるユーザからのデータをユーザによる基地局のローディングに関連するしきい値を有するメッセージに応答して、オーバヘッドチャネル上で基地局へ伝送される。この要約書は、検索者或いは他の読者に素早く技術的特徴の主題を確かめるのを可能にするための要約を必要とする規則に適合するために与えられる。この要約は、本請求の範囲の意味や観点を解釈し、或いは制限するものとして使用されるものではないものであることを理解して提出される。
2006509428.tif 000002
【特許請求の範囲】
【請求項１】
オーバヘッドチャネルを確立し、
システムのローディングを示すメッセージを受信し、
前記ローディングと、しきいとを比較し、
前記ローディングが前記しきい以下である場合に、前記オーバヘッドチャネル上でショートデータバーストメッセージを伝送する無線通信システムにおける通信方法。
【請求項２】
前記オーバヘッドチャネルの確立は前記オーバヘッドチャネルへの符号を割り当てることを含む請求項１記載の方法。
【請求項３】
前記符号は、Ｗａｌｓｈ符号を含む請求項２記載の方法。
【請求項４】
前記オーバヘッドチャネル上のショートデータバーストメッセージの伝送は、前記符号で前記データを拡散することを含む請求項２記載の方法。
【請求項５】
前記ローディングが前記しきいよりも大きい場合に、トラフィックチャネル上で前記ショートデータバーストメッセージを伝送することをさらに含む請求項１記載の方法。
【請求項６】
前記オーバヘッドチャネルは、エアトラフィックチャネルのリクエストに適応されるアクセスチャネルを含む請求項１記載の方法。
【請求項７】
基地局上の前記ローディングは、ユーザと通信を行なうための前記基地局によるエアトラフィックチャネルの数を含む請求項１記載の方法。
【請求項８】
前記オーバヘッドチャネルは、各ユーザに共通である請求項１記載の方法。
【発明の詳細な説明】
【技術分野】
【０００１】
本発明は、一般的に通信に関し、より具体的には、伝送手順の適応制御に関する。
【背景技術】
【０００２】
無線通信システムは、複数のユーザが共通の通信媒体を共有することできるように設計されている。このような無線通信システムの１つとして符号拡散多重アクセス（ＣＤＭＡ）がある。このＣＤＭＡ通信システムは、スペクトラム拡散通信に基づく変調及び多重アクセススキームである。ＣＤＭＡ通信システムにおいては、多くの信号が同じ周波数スペクトラムを共有し、その結果、ユーザ容量の増大を提供する。これは、キャリアを変調する異なる符号を有する各信号を伝送することにより実現され、これにより、信号をスペクトラム全体に拡散する。この伝送された信号は、所望の信号を逆拡散するための対応する符号を使用する復調器によって受信器において分離される。所望しない信号、すなわち、符号が一致しないものは、雑音としてのみ寄与する。
【０００３】
近年、無線通信システムはインターネットなどのような種々のパケットベースネットワークにアクセスするために使用されている。共通の例は、無線ＣＤＭＡネットワークを通してインターネットにアクセスするセルラー電話に接続するラップトップコンピュータである。これら及び同様の応用例においては、無線通信システムは無線ＣＤＭＡネットワークにおけるエアトラフィックチャネルを通した無線ネットワークとのネットワーク接続を確立し、保持する。一度、ネットワーク接続が確立されると、例え、エアトラフィックチャネルがアクティブでない期間中にトーンダウンしたとしても、ネットワーク接続は通常維持される。ネットワーク接続を維持することにより、帯域幅が確保され、これは、かつてのパケットトランスポートを再開するネットワーク接続を別の方法で再確立するために必要とされる。エアトラフィックチャネルの空白に存在するネットワーク接続は、休止(dormant)接続として参照される。
【発明の開示】
【発明が解決しようとする課題】
【０００４】
ネットワーク接続が休止の場合、種々のオーバヘッドチャネルが、いつパケットが無線通信デバイス及びパケットベースネットワークとの間でトランスポートされる準備ができているのかを決定するために使用される。データがトランスポートされる準備ができている時、新しいエアトラフィックチャネルが無線通信システム及び無線ネットワークの間で確立される。新しいエアトラフィックチャネルは、しかしながら、電力制御、ハンドオフ及びチャネル割り当てのような種々の機能をサポートするために必要とされる貴重な無線リソースを消費しがちである。ショートデータバーストは、これら機能を必要としない。何故ならば、データが連続的ではなく、通常、所定の時間間隔で一度だけ送信されるからである。従って、無線通信装置と無線ネットワークとの間でエアトラフィックチャネルを確立することなく、存在するオーバヘッドチャネルを使用するショートデータバースト通信を使用することが利点がある。
【課題を解決するための手段】
【０００５】
本発明の１つの観点においては、複数のユーザと基地局との間の通信方法が、あるユーザと基地局との間のオーバヘッドチャネルを確立し、該ユーザから基地局へオーバヘッドチャネルを通して、該ユーザによる基地局におけるローディングに関連するしきい値を有するメッセージに応答して、データを伝送することを含む。
【０００６】
本発明の他の観点においては、基地局と通信可能な装置が、オーバヘッドチャネル生成器、及び基地局におけるローディングに関連するしきい値を有するメッセージに応答して、データをオーバヘッドチャネル生成器に結合するように構成されるコントローラを有する。
【０００７】
本発明の他の観点においては、無線ネットワークが複数のユーザによる基地局上のローディングの機能としてのメッセージを生成するように構成されたメッセージ生成器と、オーバヘッドチャネル上で各ユーザからのデータが基地局へ伝送されたかを制御するために、メッセージをユーザに送信する送信器を有する。
【０００８】
本発明の他の観点においては、コンピュータプログラムによって実行可能な命令のプログラムが埋め込まれたコンピュータ読み取り可能な媒体が基地局と複数のユーザとの間の通信方法を実行し、この方法は基地局とあるユーザとの間のオーバヘッドチャネルを確立し、該ユーザによる基地局におけるローディングに関連するしきい値を有するメッセージに応答して、データをオーバヘッドチャネルに結合することを含む。
【０００９】
本発明の他の観点は、基地局と通信を行なうことが可能な装置が、オーバヘッドチャネルを生成する手段と、基地局におけるローディングに関連するしきい値を有するメッセージに応答して、データをオーバヘッドチャネルに結合する手段とを有する。
【００１０】
本発明の他の観点は、無線ネットワークが基地局上のローディングの機能としてのメッセージを生成する手段と、オーバヘッドチャネル上で各ユーザからのデータが基地局へ伝送されたかを制御するために、メッセージを複数のユーザに送信する手段とを有する。
【００１１】
本発明の他の実施の形態は、以下の詳細な記述から当業者にとって容易に明らかになるであろうことが理解される。この場合において、本発明の例示的な実施の形態が図示することにより示され、述べられている。後に認識されるように、本発明は、他の及び異なる実施の形態について適用可能であり、そのいくつかの詳細は種々の他の細目において改良可能であり、これらは本発明の精神及び適用範囲を離れることなく行なわれる。したがって、図面及び詳細な説明は事実上例示的なものとみなされ、限定的なものとみなされない。
【発明を実施するための最良の形態】
【００１２】
添付した図面に関連した以下に述べられる詳細な記述は、本発明の例示的な実施の形態として意図され、本発明が実現される唯一の実施の形態を意図するものではない。この記述全体を通して使用される”例示的な”という語は、例として、実例として、或いは例証として、の意であり、他の実施の形態よりも好適或いは有利なものとして解釈される必要はない。この詳細な記述は、本発明の完全な理解を提供する目的のための特殊な詳細を含む。しかしながら、当業者にとって、これら特殊な詳細無しに本発明を実現することができることは明らかである。いくつかの例として、公知の構造及び装置が本発明のコンセプトがあいまいになるのを避けるためにブロック図形式で示されている。
【００１３】
通信システムの例示的な実施の形態においては、加入者局は、エアトラフィックチャネルを確立する必要性なしに、存在するオーバヘッドチャネル上でショートデータバーストでネットワークにアクセスする。加入者局という語は、ここでは無線媒体を通して無線ネットワークと通信を行なうどんな装置をも意図し、セルラー電話、パーソナルディジタルアシスタント、ページャ、モデム、コンピュータ、ハードウェア、ソフトウェア、これらの組み合わせに限定されるものではない。説明のために、加入者局は、ＣＤＭＡ通信システムのコンテキストにおいて説明される。しかしながら、この開示を通して述べられるインベンティブコンセプトが、同様に種々の他の通信環境における使用に適していることは、当業者であれば認識できるであろう。
【００１４】
図１は、例示的な通信システム１００の概念的なブロック図を示しており、この通信システム１００はＣＤＭＡ無線ネットワークを通してパケットベースネットワーク１０２に対するアクセスをユーザに提供する。ＣＤＭＡ無線ネットワークは、１つ以上の加入者局をパケットベースネットワーク１０２へ接続するためのいくつかの無線ネットワークを含む。無線ネットワークは、基地局及び１つ以上の基地局コントローラの集合として定義することができる。説明を簡単にするために、１つの無線ネットワーク１０４のみが示されている。無線ネットワーク１０４は、データサーブノード（ＰＤＳＮ）１０６に接続できる。ＰＤＳＮ１０６は加入者局１０８とのネットワーク接続の維持及び切断に使用される。パケット制御機能（ＰＣＦ）は、１つ以上の無線ネットワークをＰＤＳＮ１０６に接続するために使用される。また、ＰＣＦは、各無線ネットワークに集積される。いずれにしろ、ＰＣＦ１１０は、ネットワーク接続が休止しているか否か、エアトラフィックチャネルがダウンしているとき或いは無線ネットワークリソースがＰＤＳＮ１０６からのパケットの流れをサポートするのに充分ではないときのＰＤＳＮ１０６からのバッファリングパケットを決定する。
【００１５】
加入者局１０８はパケットベースネットワーク１０２に、アクセス手順を使用する無線ネットワーク１０４において、１つ以上の基地局に対してエアトラフィックチャネルの第１の確立によりアクセスする。このアクセス手順は、加入者局１０８によるフォワードリンクパイロット信号の取得を含む。このフォワードリンクは、無線ネットワーク１０４から加入者局１０８への伝送を参照する。一度、加入者局１０８がパイロット信号を取得すると、加入者局１０８は、放送システム情報を取得するために同期チャネルにアクセスする。加入者局１０８は、次に、アクセスチャネル上で無線ネットワーク１０４への通知メッセージの組で呼び出しを開始する。通知メッセージに応答して、エアトラフィックチャネルが加入者局１０８及び無線ネットワーク１０４との間で確立され、パケットベースネットワーク１０２へのアクセスを提供する。
【００１６】
エアトラフィックチャネルが１度確立されると、論理リソース接続のネゴシエーションが、無線ネットワーク１０４とＰＤＳＮ１０６との間の接続を確立するために、ＰＣＦ１１０で行なわれる。次に、データリンクが加入者局１０８とＰＤＳＮ１０６との間で、公知の方法によって確立される。例として、インタネットプロトコル（ＩＰ）を含むがこれに限定されないポイントツーポイントプロトコル（ＰＰＰ）が１つ以上のネットワークレイヤープロトコルをサポートするためのデータリンクを構成するために使用される。１度ネットワークレイヤープロトコルが構成されると、データパケットがネットワーク接続上でトランスポートされる。
【００１７】
ｗｅｂブラウジングのような多くの出願において、データパケットは、バーストにおいてエアトラフィックチャネル上で伝送される。まず、多くのデータパケットがウエブページがダウンロードされるにつれてエアトラフィック上で伝送され、加入者局１０８がダウンロードされたページのコンテンツを読むにつれて伝送における中断が続く。この伝送中断の間、エアトラフィックチャネルは利用されているのにアクティブでない状態を保持する。
【００１８】
休止ネットワーク接続をサポートする無線通信システムにおいて、エアトラフィックチャネルは伝送中断中にトーンダウンされ、他の加入者局による使用を可能にする。１度ウェブページが加入者局１０８にダウンロードされると、ユーザが開始したネットワーク接続が、リバースリンク上でデータパケットを伝送することによって行なわれる。リバースリンクは、加入者局１０８から無線ネットワーク１０４への伝送を参照する。このリバースリンク通信は、データパケットをトランスポートするために新しいトラフィックチャネルを確立することにより、或いはアクセスチャネル上で１つ以上のショートデータバーストにおけるデータパケットを伝送することにより行なわれる。
【００１９】
ネットワーク接続が休止の場合、アクセスチャネル上のショートデータバーストは少数のデータパケットを伝送するための大変効率的な方法を提供する。しかしながら、データパケットの数が多い場合、特定のエアトラフィックチャネルを使用することがより良いアプローチである。エアトラフィックチャネルを確立している間は長い時間を必要とし、次にアクセスチャネル上でショートデータバーストを伝送することは、最終的により効率的である。アクセスチャネルは、複数の加入者局によって共有され、アクセスチャネル上の多数のデータパケットの伝送は、多数の加入者局の性能にインパクトを与えるアクセスチャネル遅れと結果的になる。加入者局１０８でのしきいは、新しいエアトラフィックチャネルがリバースリンク通信をサポートするために確立されたか否かを決定するために使用される。アクセスチャネル上のショートデータバーストは、データパケット数がしきいよりも小さい場合に使用される。代わりに、データパケット数がしきいより大きい場合には、アクセスチャネルが新しいエアトラフィックチャネルを確立するための無線ネットワーク１０４への通知メッセージの組を送るために使用される。
【００２０】
しきいは、固定或いは適応的である。適応しきいは、伝送されるべきデータパケットの数だけではなく、無線ネットワーク１０４内のサーブ基地局上のローディングをも考慮することによって、改善された性能を提供する。基地局上のローディングは、いくつかの数のローディングコンポーネントから決定される。例えば、アクセスチャネル上のローディングは、しきいを適応するために使用される。最終的に、アクセスチャネルは混雑し、しきいは、リバースリンク通信をサポートし、さらなる混雑が複合することを避けるために、加入者局１０８がエアトラフィックチャネルを使用することを促すように下方調整される。一方、仮にアクセスチャネルが軽いロードの場合には、しきいは加入者局１０８がリバースリンクをサポートするためにアクセスチャネルを使用することを促すように上方調整される。
【００２１】
しきいに適用されるために使用される他のローディング要素は、他のユーザとの通信をサポートするための基地局により使用されるエアトラフィックチャネルの数である。エアトラフィックチャネルは制限されたリソースであるため、エアトラフィックチャネルの強い要求がある場合に、しきいは加入者局１０８がリバースリンク通信をサポートするアクセスチャネルを使用することを促すように上方調整される。逆に、エアトラフィックチャネルのための要求が低い場合に、しきいは加入者局１０８がリバースリンク通信をサポートするために新しいエアトラフィックチャネルを確立することを促すように下方調整される。
【００２２】
無線通信システムの少なくとも１つの実施の形態においては、適応しきいはアクセスチャネル上のローディング機能のアルゴリズム及び他のユーザとの通信をサポートするための基地局によって使用されるエアトラフィックチャネルの数に基づいて計算される。他の実施の形態においては、アルゴリズムは他のローディング要素のみ、或いはアクセスチャネル上のローディングとの組み合わせ、及び／又はエアトラフィック制御チャネルの数に基づく。しきいを計算するために使用される専用のアルゴリズムは、デザイン標準全体及び通信システムの性能パラメータに依存して変化し、当業者は経験的に、数学的に、或いは本開示全体を通した知見からの他の手段によって容易に決定されることができる。
【００２３】
図２は簡略化された機能ブロック図であり、リバースリンク通信を制御するための適応しきいを実行するための例示的な無線ネットワークのキホンサブシステムを示している。無線ネットワーク１０４は、単一の基地局コントローラ（ＢＳＣ）２０２を有して構成され、この基地局コントローラ（ＢＳＣ）２０２は、ＰＤＳＮ（図示せず）と地理的な領域を通して分散された全ての基地局との間のインターフェイスを提供する。説明の簡単のために、１つの基地局２０４のみが示されている。当業者が認識しているように、無線ネットワーク１０４は、それぞれが１つ以上の基地局をサポートしている複数のＢＳＣのネットワークを通して、その地理的なリーチを拡張するように構成されている。地理的な領域は、通常、セルとして知られているより小さな領域に細分される。各基地局は、そのセルラー領域内の全ての加入者局を扱うように構成される。
【００２４】
各加入者局は、アクセスチャネルを使用して、基地局２０４からのエアトラフィックチャネルを要求する。リクエスト加入者局によって生成された通知メッセージの組は、アクセスチャネルのために全ての加入者局に共通に割り当てられた固定されたＷａｌｓｈ符号で拡散され、基地局２０４へ伝送される。擬似ランダム雑音（ＰＮ）として知られている符号化の外層は、要求加入者局及び受信基地局を識別するために使用される。
【００２５】
基地局では、アンテナ２０６が全ての加入者局からのリバースリンク伝送を受信器２０８に結合するために使用される。受信器２０８は、増幅、フィルタリング及びベースバンド信号へのリバースリンク伝送のダウンコンバートを行なう。要求加入者局からの通知メッセージをリカバーするために逆拡散されたベースバンド信号は、復調器２１０へ提供される。このことは、各加入者局に対するリバースリンク伝送を分離するために、ＰＮコードに対するベースバンド信号の関連付けを含む。各加入者局に対する通知メッセージは、次に、リバースリンク伝送をアクセスチャネルのためのＷａｌｓｈ符号割り当てに対して関連付けることによりリカバーされる。通知メッセージは、次に、エアトラフィックチャネルを種々の加入者局へ割り当てる目的のためにＢＳＣ２０２へ供給される。
【００２６】
ＢＳＣ２０２は、フィルタ２１２を有するように構成され、このフィルタ２１２はアクセスチャネル上でショートデータバーストから信号メッセージを分離する。信号メッセージは、次に、チャネル割り当てモジュール２１４に供給される。このチャネル割り当てモジュール２１４は通知メッセージに基づいて基地局２０４のためのエアトラフィックチャネルを割り当てる。エアトラフィックチャネル割り当て２１４ａは、オーバヘッドメッセージとしてフォーマットされている場合に、オーバヘッドメッセージ生成器２１６に供給される。チャネル割り当てモジュール２１４は、また、基地局２０４のためのエアトラフィックチャネル割り当ての現在数を示す第１の信号２１４ｂを生成するために使用される。アクセスチャネル上のローディングを示す第２の信号２２０ａとともに第１の信号２１４ｂは、しきい生成器２１８に供給される。第２の信号２２０ａは基地局２０４からのアクセスチャネルを監視するローディングモジュール２２０によって生成される。
【００２７】
しきい生成器２１８は、信号２１４ｂ、２２０ａの機能としてのしきい値を計算するアルゴリズムで実現される。しきい値を計算するために使用される特定のアルゴリズムは、特定のアプリケーション、デザイン基準全体、性能パラメータ及び／又はその他の関連要素のような種々の要素に依存する。例示的なアルゴリズムは、アクセスチャネル上で一定のローディングを記述する数学的式として実現され、しきい値は割り当てられたエアトラフィックチャネルの数に直接的に比例する。数学的式は、また、エアトラフィックチャネルの一定数をも記述し、しきい値は、アクセスチャネル上のローディングに対して逆に変化する。この数学的式は、当業者によって考えだされることが可能である。さらに、例示的なアルゴリズムは、熟練の技術者によって、アクセスチャネル上のロード及びエアトラフィックチャネルの数の双方が同時に変化するときに、伝送効率が最適となるように調整されることができる。
【００２８】
しきい値は、オーバヘッドメッセージ生成器２１６に提供され、オーバヘッドメッセージとしてフォーマットされる。このオーバヘッドメッセージは、次に、ページングチャネル上での伝送のために基地局２０４に提供される。ページングチャネル生成器２２２は、符号化、インタリービング及び各加入者局ごとのユニークな長いＰＮ符号によるスクランブリングを提供する。直交(orthogonal)変調器２２４は、次に、ページングチャネルを割り当てられたＷａｌｓｈ符号で拡散するために使用される。また、ＢＳＣ２０２からのオーバヘッドメッセージが自身のユニークなＷａｌｓｈ符号割り当てを有するオーバヘッドチャネル上で伝送される。どちらにしても、直交(orthogonal)変調器２２４からの出力は、全ての他の基地局フォワードリンクチャネルとチャネル結合器２２６で組み合わされ、直交(quadrature)変調器２２８でＰＮ符号で拡散される。ショートＰＮ符号は、基地局を識別するために使用される。送信器２３０は、フィルタ、増幅及び直交変調器２２８の出力を、アンテナ２０６を介した基地局２０４から加入者局１０８へのフォワードリンク上の伝送の前に、キャリア周波数へアップコンバートするのに使用される。
【００２９】
図３は、例示的な加入者局の機能ブロック図を示す。アンテナ３０２は、基地局からのフォワードリンク伝送を受信器３０４へ結合するのに使用される。受信器３０４は、増幅、フィルタリング、およびフォワードリンク伝送のベースバンド信号へのダウンコンバートを提供する。受信器３０４からのベースバンド信号は、加入者局のためにページングチャネルをリカバーするための逆拡散器３０６に結合されている。逆拡散器３０６は、ＰＮ符号を使用した直交(quadrature)逆拡散およびページングチャネルに対して割り当てられたＷａｌｓｈ符号を使用した逆拡散を提供するように構成されている。しきい値３０８ａはすべての加入者局に対して共通であり、コントローラ３０８に結合される。
【００３０】
加入者局１０８とＰＤＳＮ（図示せず）との間の休止中のネットワーク接続では、ユーザはデータを有するバッファ３１０をローディングすることによりネットワーク接続を開始する。比較器３１２は、バッファ３１０におけるデータ量を逆拡散器３０６からのしきい値と比較するために使用される。比較器３１２がバッファ３１０におけるデータ量がしきい値よりも小さいと判断した場合には、次に、バッファ３１０におけるデータは、アクセスチャネル上のショートデータバーストにおいてリソースマネージャ３１４によって開放される。逆に、比較器３１２がバッファ３１０におけるデータ量が逆拡散器３０６からのしきい値を超えていると判断した場合には、リソースマネージャ３１４はアクセスチャネル上の伝送のための通知メッセージの組を生成して基地局からのエアトラフィックチャネルをリクエストするために使用される。とにかく、アクセスチャネル生成器３１６は、アクセスチャネルのために全ての加入者局に対して共通に割り当てられた固定のＷａｌｓｈ符号を使用したその拡散の前に、コントローラ出力を符号化するために使用される。アクセスチャネル生成器３１６の出力は、他のオーバヘッド及びトラフィックチャネルとチャネル結合器３１８によって組み合わされ、ショートＰＮ符号を使用した拡散のための直交(quadrature)変調器３２０に供給される。送信器３２２は、アンテナ３０２を介したリバースリンク上の伝送の前の増幅、フィルタ及び直交(quadrature)変調器３２０の出力のキャリア周波数へのアップコンバートのために使用される。
【００３１】
加入者局がエアトラフィックチャネルを要求した場合、基地局はページングチャネル上で加入者局へエアトラフィックチャネル割り当てを送り返す。前に述べたように、ページングチャネルはアンテナ３０２を通して、受信機３０４へルートされ、復調器３０６によってリカバーされる。しかしながら、全ての加入者局に対して共通であるしきい値３０８ａと異なり、エアトラフィクチャネル割り当ては、各加入者局に対してユニークであり、その結果、適切な長さのＰＮ符合によって逆スクランブルされる。逆スクランブルされたページングチャネル３０８ｂは、リソースマネージャ３１４に供給される。リソースマネージャ３１４がエアトラフィックチャネル割り当てがなされたと判断した場合には、エアトラフィックチャネル生成器３２４を呼び出し、エアトラフィックチャネルに対してＷａｌｓｈチャネルを割り当てる。
【００３２】
一度、エアトラフィックチャネルが割り当てられると、リソースマネージャ３１４がバッファ３１０からのデータをエアトラフィックチャネル生成器３２４に結合する。エアトラフィックチャネル生成器３２４は、それをエアトラフィックチャネルのために割り当てられたＷａｌｓｈ符号を使用して拡散する前に、バッファ３１０からのデータを符号化し、インタリーブする。エアトラフィックチャネル生成器３２４の出力は、他のトラフィック及びオーバヘッドチャネルと組み合わせられ、ショートＰＮ符号で直交(quadrature)変調され、増幅され、フィルタリングされ、リバースリンク上での伝送のためにキャリア周波数へアップコンバートされる。
【００３３】
開示された実施形態に関連して述べられた種々の図示した論理ブロック、モジュール及び回路は、汎用プロセッサ、デジタル処理プロセッサ（ＤＳＰ）、特定用途ＩＣ（ＡＳＩＣ）、電界プログラマブルゲートアレイ（ＦＰＧＡ）或いは他のプログラマブル論理デバイス、個別ゲート或いはトランジスタロジック、個別ハードウェアコンポーネント、ここで述べられた機能を実現するために設計されたこれらのいくつかの組み合わせによって実現され、実行される。汎用プロセッサは、マイクロプロセッサであることが可能であり、プロセッサはどんな通常のプロセッサ、コントローラ、マイクロコントローラ或いはステートマシンであってもよい。プロセッサは、また、例えば、ＤＳＰ及びマイクロプロセッサ、複数のマイクロプロセッサ、ＤＳＰコア、或いは他のこのような構成のものとともに使用される１つ以上のマイクロプロセッサのようなコンピューティングデバイスの組み合わせとして実現される。
【００３４】
ここで開示された実施の形態とともに述べられた方法或いはアルゴリズムは、ハードウェア、プロセッサによって実行されるソフトウェアモジュール、これら２つの組み合わせに組み込まれる。ソフトウェアモジュールは、ＲＡＭメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、或いは公知の他の形式の記憶媒体に存在する。例示的な記憶媒体は、プロセッサに接続され、プロセッサが当該記憶媒体から情報を読み出し、情報を書き込む。また、記憶媒体はプロセッサに書くことができないものである。プロセッサ及び記憶媒体は、ＡＳＩＣに存在していてもよい。ＡＳＩＣは、ユーザ端末に存在していてもよい。また、プロセッサ及び記憶媒体は、ユーザ端末における個別コンポーネントに存在していても良い。
【００３５】
この開示された実施の形態の前述の記述は、当業者に本発明を作り出し、使用させることを可能とする。これら実施の形態の種々の改良は、当業者にとって容易であり、ここに定義された一般的な原則は本発明の精神及び観点を離れることなく適用されることが可能である。したがって、本発明は、ここにおいて述べられた実施の形態に限定する意図を有するものではなく、ここに開示された原則及び新規な特徴にしたがった広い観点に従うものである。
【図面の簡単な説明】
【００３６】
【図１】ＣＤＭＡ無線ネットワークを通してパケットベースネットワークへのアクセスをユーザに提供することができる例示的な通信システムの概念的なブロック図。
【図２】リバースリンク通信を制御するための適応しきいを実行するための例示的な無線ネットワークのキホンサブシステムを示す簡略化された機能ブロック図。
【図３】例示的な加入者局の機能ブロック図。
【図１】
2006509428.tif 000003
【図２】
2006509428.tif 000004
【図３】
2006509428.tif 000005
【国際調査報告】
2006509428.tif 000006
2006509428.tif 000007
2006509428.tif 000008
2006509428.tif 000009